(57)【要約】【課題】ユーザに面倒な操作をさせることなく、アプリのダウンロードを促進する。【解決手段】ユーザ端末は、第１アプリケーションの実行画面内に第２アプリケーションのインストールを誘導するためのリンクを表示し、リンクが選択された場合に、誘導履歴をサーバに送信する。そして、第２アプリケーションのインストールが完了した場合に、インストール情報をサーバに通知する。サーバは、ユーザ端末から送られてくる誘導履歴とインストール情報とに基づいて、第２アプリケーションのインストールを誘導した第１アプリケーションを特定し、特定された第１アプリケーションにおいて視聴権限の無いコンテンツの視聴を許可する。【選択図】図１
2015203935.tif 000002
【特許請求の範囲】
【請求項１】
ネットワークを介してコンテンツを提供するサーバと、前記コンテンツを受信する端末とを備えるシステムであって、
前記端末は、
前記コンテンツを視聴するための第１アプリケーションが起動されると、実行画面内に第２アプリケーションのインストールを誘導するためのリンクを表示し、前記リンクが選択された場合に、該端末、該第１アプリケーションおよび該第２アプリケーションを識別する誘導履歴を前記サーバに送信する誘導履歴送信部と、
第２アプリケーションのインストールが完了し起動された場合に、該端末および該第２アプリケーションを識別するインストール情報を前記サーバに通知するインストール情報通知部と
を具備し、
前記サーバは、
前記誘導履歴と前記インストール情報とに基づいて、前記第２アプリケーションのインストールを誘導した第１アプリケーションを特定する誘導元特定部と、
前記誘導元特定部で特定された第１アプリケーションにおいて視聴権限の無いコンテンツの視聴を許可する特典付与部と
を具備することを特徴とするシステム。
【請求項２】
前記端末は、前記第２アプリケーションが起動された場合に、該端末および該第２アプリケーションを識別するログイン情報を前記サーバに送信するログイン要求部をさらに具備し、
前記サーバの前記誘導元特定部は、前記ログイン情報と前記誘導履歴とに基づいて、前記第２アプリケーションのインストールを誘導した第１アプリケーションを特定することを特徴とする請求項１に記載のシステム。
【請求項３】
前記インストール情報は、前記第２アプリケーションのインストール時刻を含み、
前記ログイン情報は、前記第２アプリケーションへのログイン時刻を含み、
前記特典付与部は、前記インストール情報と前記ログイン情報とをもとに、前記第２アプリケーションのインストールから所定期間でログインした場合にのみ、前記視聴を許可することを特徴とする請求項２に記載のシステム。
【請求項４】
前記特典付与部は、前記ログイン情報をもとに、前記第２アプリケーションへのログイン回数に応じて、前記視聴を許可するコンテンツの数又はサイズを決定することを特徴とする請求項２に記載のシステム。
【請求項５】
前記特典付与部は、視聴権限の無いコンテンツが存在しない場合は、特典付与を予約することを特徴とする請求項１ないし４のいずれか１項に記載のシステム。
【請求項６】
（最新のコンテンツをアンロック）
前記視聴権限の無いコンテンツは、未公開の最新コンテンツであることを特徴とする請求項１ないし５のいずれか１項に記載のシステム。
【請求項７】
前記視聴権限の無いコンテンツは、有料コンテンツであることを特徴とする請求項１ないし５のいずれか１項に記載のシステム。
【請求項８】
前記視聴権限の無いコンテンツは、以前に公開されていたアーカイブコンテンツであることを特徴とする請求項１ないし５のいずれか１項に記載のシステム。
【請求項９】
ネットワークを介して端末へコンテンツを提供するサーバ装置であって、
前記端末から、前記コンテンツを視聴するための第１アプリケーションの実行画面内に表示される第２アプリケーションのインストールを誘導するリンクが選択された場合に送信される、該端末、該第１アプリケーションおよび該第２アプリケーションを識別する誘導履歴と、第２アプリケーションのインストールが完了し起動された場合に送信される、該端末および該第２アプリケーションを識別するインストール情報とを受信する受信部と、
前記誘導履歴と前記インストール情報とに基づいて、前記第２アプリケーションのインストールを誘導した第１アプリケーションを特定する誘導元特定部と、
前記誘導元特定部で特定された第１アプリケーションにおいて視聴権限の無いコンテンツの視聴を許可する特典付与部と
を具備することを特徴とするサーバ装置。
【請求項１０】
ネットワークを介して端末へコンテンツを提供するサーバ装置に用いられるプログラムであって、
前記端末から、前記コンテンツを視聴するための第１アプリケーションの実行画面内に表示される第２アプリケーションのインストールを誘導するリンクが選択された場合に送信される、該端末、該第１アプリケーションおよび該第２アプリケーションを識別する誘導履歴と、第２アプリケーションのインストールが完了し起動された場合に送信される、該端末および該第２アプリケーションを識別するインストール情報とを受信する処理と、
前記誘導履歴と前記インストール情報とに基づいて、前記第２アプリケーションのインストールを誘導した第１アプリケーションを特定する処理と、
前記誘導元特定部で特定された第１アプリケーションにおいて視聴権限の無いコンテンツの視聴を許可する処理と
を前記サーバ装置のコンピュータに実行させることを特徴とするプログラム。
【発明の詳細な説明】
【技術分野】
【０００１】
本発明は、情報処理装置に対してネットワークを介してアプリケーションプログラムを提供するシステム、サーバ装置、および、プログラムに関する。
【背景技術】
【０００２】
近年、スマートフォンやタブレット端末などの普及に伴い、音楽や映像などのデジタルコンテンツ配信の市場規模が急速に拡大している。小説やコミックなどのコンテンツは、上記のような端末で電子書籍として読むニーズが高く、専用のアプリケーションプログラム（以下、アプリと称する）をインストールすることで読むことができる。コンテンツ配信事業者は、アプリのインストールを促進するために、ＷＥＢページやコンテンツの閲覧画面などに広告などを表示している。しかしながら、ユーザが広告を契機にして、アプリをインストールすることは稀になってきており、新たな施策が求められている。
【０００３】
そこで、たとえば、特許文献１には、対象のアプリがリリースされる前にユーザに事前登録を行わせ、リリース後にそのアプリをダウンロードして実行した時点で、事前登録時に登録したメールアドレスや運営者側が発行したコード等をアプリ内で入力させ、所定のリワード（報奨）を付与する手法が開示されている。
【先行技術文献】
【特許文献】
【０００４】
【特許文献１】特開２０１４−４８８３２号公報
【発明の概要】
【発明が解決しようとする課題】
【０００５】
しかしながら、上記特許文献１に開示される手法では、リワードの付与を受けるには、事前登録などの面倒な操作が必要となる。また、通常、リワードはサービス内でのみ使用できるポイントを還元することが多い。このため、アプリのインストールを飛躍的に増加させるのは困難であった。
【０００６】
本発明はかかる課題に鑑みてなされたものであり、その目的は、ユーザに面倒な操作をさせることなく、アプリのダウンロードを促進することができるシステム、サーバ装置、および、プログラムを提供することにある。
【課題を解決するための手段】
【０００７】
本発明の一態様は、ネットワークを介してコンテンツを提供するサーバと、前記コンテンツを受信する端末とを備えるシステムであって、前記端末は、前記コンテンツを視聴するための第１アプリケーションであって、実行画面内に第２アプリケーションのインストールを誘導するためのリンクを表示し、前記リンクが選択された場合に、該端末、該第１アプリケーションおよび該第２アプリケーションを識別する誘導履歴を前記サーバに送信する誘導履歴送信部と、第２アプリケーションのインストールが完了し起動された場合に、該端末および該第２アプリケーションを識別するインストール情報を前記サーバに通知するインストール情報通知部とを具備し、前記サーバは、前記誘導履歴と前記インストール情報とに基づいて、前記第２アプリケーションのインストールを誘導した第１アプリケーションを特定する誘導元特定部と、前記誘導元特定部で特定された第１アプリケーションにおいて視聴権限の無いコンテンツの視聴を許可する特典付与部とを具備することを特徴とするシステム、これに対応するサーバ装置およびプログラムを提供する。
【０００８】
上記態様によれば、ユーザもしくはユーザ端末は、第２アプリケーションをインストールすることにより、将来公開予定のコンテンツを先読みすることなどが可能になるため、ユーザに面倒な操作をさせることなく、アプリのダウンロードを促進することができる。
【発明の効果】
【０００９】
本発明によると、ユーザに面倒な操作をさせることなく、アプリのダウンロードを促進することができるシステム、サーバ装置、および、プログラムを提供できる。
【図面の簡単な説明】
【００１０】
【図１】第１実施形態にかかるシステムの構成例を示す図。
【図２】図１のユーザ端末の構成例を示すブロック図。
【図３】図１のサーバ装置の構成例を示すブロック図。
【図４】図１の誘導履歴管理テーブルの一例を示す図。
【図５】図１のインストール管理テーブルの一例を示す図。
【図６】第１実施形態にかかるシステムの処理手順を示すシーケンス図。
【図７】第１アプリ実行時の第１の画面表示例を示す図。
【図８】第１アプリ実行時の第２の画面表示例を示す図。
【図９】第１アプリ実行時の第３の画面表示例を示す図。
【図１０】第２実施形態にかかるサーバ装置の構成例を示すブロック図。
【図１１】図１０のログイン管理テーブルの一例を示す図。
【図１２】第２実施形態にかかるシステムの処理手順を示すシーケンス図。
【発明を実施するための形態】
【００１１】
（第１実施形態）  
図１は、本発明の第１実施形態に係るシステム１００を示す図である。このシステム１００は、サーバ１０と、サーバ１０と基地局４０とを有線回線で接続するネットワーク６０と、基地局４０で代表される第１基地局４０ａ〜第３基地局４０ｃと、モバイル端末５０で代表される第１モバイル端末５０ａ〜第３モバイル端末５０ｃと、ＰＣ端末７０とを含む。また、モバイル端末５０として、例えばフィーチャーフォン、スマートフォン、タブレット端末が含まれる。
【００１２】
このシステム１００は、音楽、映像、または電子書籍等のコンテンツをサーバ１０から、ネットワーク６０介してＰＣ端末７０へ、あるいはネットワーク６０および基地局４０を介してモバイル端末５０へ配信する。ここでは、一例として、小説やコミック等のコンテンツを視聴するための専用のコミックアプリのようなアプリケーションをモバイル端末５０およびＰＣ端末７０へインストールすることで、サーバ１０から配信されるコンテンツを視聴するものとする。アプリ提供プラットフォームは、サーバ１０と一体でもよいし、別途設けてもよい。
【００１３】
なお、図示の都合上、基地局４０、モバイル端末５０は共に３台のみ図示したが、これにかぎらず、それ以上の基地局４０、モバイル端末５０が存在してもよい。ＰＣ端末７０についても同様である。また、第１モバイル端末４０ａ〜第３モバイル端末４０ｃは、それぞれ異なる基地局４０と接続されるとして図示しているが、これにかぎらず、１つの基地局４０に複数のモバイル端末５０が接続されていても、本発明が適用可能であることは言うまでもない。また、基地局４０は無線ＬＡＮなどのアクセスポイントであってもよい。以下、モバイル端末５０およびＰＣ端末７０をユーザ端末と総称する。
【００１４】
図２は、ユーザ端末の構成例を示す図である。ここでは、説明の都合上、モバイル端末５０の構成として説明するが、ＰＣ端末７０においても同様の構成となる。モバイル端末５０は、端末通信部５１と、端末制御部５２と、ユーザインタフェース５３と、端末メモリ５４とを備える。端末通信部５１は、サーバ１０からダウンロードしたアプリやコンテンツ、サーバ１０から送信される各種情報を受信する。
【００１５】
端末制御部５２は、ユーザインタフェース５３を介してユーザからの指示を受け付けて、端末メモリ５４にアクセスしながら、アプリのインストール制御や、アプリケーションの実行制御などを行う。
【００１６】
ユーザインタフェース５３は、ユーザへのメッセージ、コンテンツ視聴画面等の各種画面を表示するための画面インタフェースと、音声等を出力するスピーカと、キーボードやタッチパネルなどのユーザからの入力を受け付ける入力インタフェースを含む。ユーザインタフェース５３は、ユーザからの選択操作、あるいは、各種の情報の入力操作等を受け付けて、端末制御部５２に伝える。
【００１７】
端末メモリ５４は、端末で固有の識別情報（端末ＩＤ）が記憶されている。また、端末メモリ５４は、アプリ提供プラットフォームからアプリケーションをダウンロードした際に、そのアプリケーションプログラムを格納することに用いられる。たとえば、図２に示すように、端末メモリ５４には、第１アプリ５４１がすでに格納されている。端末メモリ５４には、ユーザの操作により、第２アプリ５４２をさらに格納することもでき、格納されたアプリを削除することもできる。また、アプリケーションは、それぞれ固有の識別情報（アプリケーションＩＤ）を有する。
【００１８】
第１アプリは、コンテンツを視聴するためのアプリケーションプログラムであって、ユーザからの操作をユーザインタフェース５３で受け付けたときに、端末制御部５２により起動される。第１アプリが起動すると、当該端末で視聴可能なコンテンツの一覧が目次として画面上に表示される。ユーザが目次から所望のコンテンツを選択すると、端末制御部５２は、選択されたコンテンツの配信要求を端末通信部５１を介してサーバ１０へ送信する。端末制御部５２は、このコンテンツの配信要求により取得されるコンテンツデータを復調処理して画面および／またはスピーカへ出力する。
【００１９】
さらに、第１アプリは、実行画面内に第１アプリに関連する他のアプリケーション（第２アプリ）のインストールを誘導するためのリンクを表示する。このリンクが選択された場合に、端末ＩＤ、誘導元となる第１アプリのアプリケーションＩＤ（誘導元アプリケーションＩＤ）、誘導先となる第２アプリのアプリケーションＩＤ（誘導先アプリケーションＩＤ）および、リンク３１０が選択された時刻（誘導時刻）を含む誘導履歴を端末通信部５１がサーバ１０に送信する。
端末制御部５２は、第２アプリのインストールが完了すると、端末通信部５１に対して、端末ＩＤ、インストールされた第２アプリのアプリケーションＩＤ、およびインストール時刻を含むインストール情報をサーバ１０に通知させる。すなわち、端末通信部５１は、誘導履歴を送信する機能と、インストール情報を通知する機能を含む。
【００２０】
図３は、図１のサーバ１０の構成例を示す図である。このサーバ１０は、サーバ通信部１１と、ユーザ情報管理部１２と、コンテンツ提供部１３と、画面表示制御部１４と、誘導元特定部１５と、特典付与部１６と、サーバメモリ１７とを含む。サーバメモリ１７は、誘導履歴管理テーブル１７１と、インストール情報管理テーブル１７２とを含む。
【００２１】
サーバ通信部１１は、ユーザ端末からの信号を受信し、所定の復調処理を実施して、ユーザ情報管理部１２と、コンテンツ提供部１３と、画面表示制御部１４と、誘導元特定部１５とに復調された信号を送る。
【００２２】
また、サーバ通信部１１は、コンテンツ提供部１３あるいは画面表示制御部１４などからの指示を受けて、所定のデータを変調処理し、ユーザ端末に対して送信する。所定のデータとは、たとえば、コンテンツデータおよびユーザへのメッセージなどを含む。
【００２３】
なお、サーバ通信部１１における変復調処理は、従来用いられている変復調技術が用いられてよく、このような態様であったとしても、本発明を適用することができることは当業者に理解されるところである。
【００２４】
ユーザ情報管理部１２は、システム１００に登録されたユーザの情報をサーバメモリ１７にて管理する。ユーザの情報は、例えば、端末ＩＤおよびメールアドレス等のユーザの識別情報を含む。これらのユーザの情報は、コンテンツ提供部１３などにおいて参照される。
【００２５】
さらに、サーバメモリ１７は、上記ユーザの情報のほか、誘導履歴管理テーブル１７１と、インストール情報管理テーブル１７２とを格納する。
誘導履歴管理テーブル１７１は、図４に示すように、たとえば、端末ＩＤと、誘導先アプリケーションＩＤと、誘導元アプリケーションＩＤと、誘導時刻とを含む。ユーザ情報管理部１２は、上述したようにユーザ端末から通知される誘導履歴を、誘導履歴管理テーブル１７１に記憶する。
インストール情報管理テーブル１７２は、図５に示すように、たとえば、端末ＩＤと、アプリケーションＩＤと、インストール時刻とを含む。ユーザ情報管理部１２は、上述したようにユーザ端末から通知されるインストール情報を、インストール情報管理テーブル１７２に記憶する。
【００２６】
コンテンツ提供部１３は、ユーザ端末にインストールされたアプリケーションにより送られてくるコンテンツの配信要求を、サーバ通信部１１を介して受け付けて、当該端末が視聴権限を持つコンテンツを配信する。無料コンテンツは、いずれの端末にも配信することが可能である。有料コンテンツは、課金を行ったユーザにのみ配信することができる。
【００２７】
画面表示制御部１４は、ユーザ端末の画面に、コンテンツの目次、コンテンツの視聴画面、他のアプリケーション（第２アプリ）のインストールを誘導するためのリンク、およびユーザへのメッセージなどを表示させる制御を行う。
【００２８】
誘導元特定部１５は、誘導履歴とインストール情報とに基づいて、アプリケーションのインストールを誘導した誘導元アプリケーションを特定する。具体的には、誘導元特定部１５は、誘導履歴管理テーブル１７１と、インストール情報管理テーブル１７２とを参照し、誘導履歴の端末ＩＤおよび誘導先アプリケーションＩＤと、インストール情報の端末ＩＤおよびアプリケーションＩＤとを照合することにより、アプリケーションのインストールを誘導した誘導元アプリケーションＩＤを特定する。
【００２９】
特典付与部１６は、誘導元特定部１５で特定された誘導元アプリケーションＩＤに対応するアプリケーションにおいて視聴権限の無いコンテンツの視聴を許可する。つまり、特典として、課金などを行わずに、第１アプリ内でリンク表示されたアプリケーション（第２アプリ）をインストールすることで、例えば、未公開の最新コンテンツ、有料コンテンツ、あるいは以前に公開されていたアーカイブコンテンツを視聴可能にする。
【００３０】
次に、図６ないし図９を用いて、第１実施形態にかかるシステムの動作を説明する。図６は、第１実施形態にかかるシステムの処理手順を示すシーケンス図である。なお、以下の説明において、「第１アプリもしくは第２アプリが送信する」という記載は、端末装置内の送信機能に対する送信指示と同義であることは、当業者において当然に理解されるところである。
図６において、ユーザ端末において第１アプリが起動すると、第１アプリは、アプリケーションＩＤと端末ＩＤとを含むログイン情報を送信する。ログインが完了すると、第１アプリは、ユーザからのコンテンツの選択操作に応じて、コンテンツ配信要求をサーバに送信し、取得したコンテンツをユーザ端末の画面に表示する。
【００３１】
ここで、図７に示すように、第１アプリ実行時の画面には、第１アプリに関連する第２アプリのインストールを誘導するリンク７０１が表示される。第１アプリは、ユーザによりリンク７０１が選択されると、誘導元アプリケーションＩＤ、誘導先アプリケーションＩＤ、および、端末ＩＤを含む誘導履歴をサーバへ送信する。サーバは、誘導履歴を誘導履歴管理テーブル１７１に格納し、アプリ提供プラットフォームにおける第２アプリのアプリダウンロードページを表示させるようにユーザ端末を制御する。
【００３２】
ユーザによりアプリダウンロードページから第２アプリのインストールが実行されると、ユーザ端末からアプリ提供サーバへダウンロード要求が送信される。第２アプリのインストールが完了すると、ユーザ端末の端末制御部５２は、アプリケーションＩＤと端末ＩＤとを含むインストール情報をサーバへ通知する。通知されたインストール情報はサーバメモリ１７のインストール情報管理テーブル１７２に格納される。なお、インストールした第２アプリをユーザが起動したことを契機として、ユーザ端末の端末制御部５２がアプリケーションＩＤと端末ＩＤとを含むインストール情報をサーバ送信するようにしてもよい。
【００３３】
サーバの誘導元特定部１５は、誘導履歴管理テーブル１７１と、インストール情報管理テーブル１７２とを参照し、誘導履歴の端末ＩＤおよび誘導先アプリケーションＩＤと、インストール情報の端末ＩＤおよびアプリケーションＩＤとを照合することにより、アプリケーションのインストールを誘導した誘導元アプリケーションＩＤを特定する。その際、サーバの特典付与部１６が、端末ＩＤ、誘導先アプリケーションＩＤ、誘導元アプリケーションＩＤの組み合わせが特典付与の条件を満たしているかを判定してもよい。仮に、端末ＩＤ、誘導先アプリケーションＩＤ、誘導元アプリケーションＩＤの組み合わせが特典付与の条件を満たしていない場合は、特典付与を行わないようにしてもよい。誘導元アプリケーションＩＤが特定できた場合は、当該端末において視聴権限の無かった特典コンテンツをアンロックして視聴可能にする。ユーザが第１アプリを起動した際に、ユーザ端末には、図８に示すような特典付与を表すメッセージ８０１がポップアップ表示される。
【００３４】
誘導元の第１アプリの画面には、アンロックされた特典コンテンツが表示される。たとえば、図９に示すように、第６０話のコンテンツまで公開されていた場合、現時点で未公開の第６１話のコンテンツ９０１が表示される。つまり、ユーザは、第２アプリをインストールすることにより、将来公開予定のコンテンツを先読みすることが可能になる。
したがって、この第１実施形態によれば、ユーザに面倒な操作をさせることなく、アプリのダウンロードを促進することができる。
【００３５】
（第２実施形態）  
第１実施形態では、第２アプリをインストールすることで、特典コンテンツをアンロックしたが、第２実施形態では、さらに第２アプリを起動し、ログインした時点で特典を付与するようにする。
【００３６】
図１０は、第２実施形態にかかるサーバの構成を示すブロック図である。図３と異なる部分は、ログイン情報管理テーブル１７３を有する点にある。その他は、図３と同様であるため、図３と同一部分には同一符号を付し、詳しい説明は省略する。また、システム構成とユーザ端末の構成は、上記第１実施形態と同様であるため、図１および図２を用いて説明を行う。
【００３７】
図１１に、ログイン情報管理テーブル１７３の一例を示す。ログイン情報管理テーブル１７３は、端末ＩＤと、アプリケーションＩＤと、誘導元アプリケーションＩＤと、ログイン時刻とを含む。ユーザ端末は、起動したアプリケーションにログインする際に端末ＩＤと、アプリケーションＩＤと、誘導元アプリケーションＩＤと、ログイン時刻とを含むログイン情報をサーバ１０へ送信する。ユーザ情報管理部１２は、ログイン情報をもとにログイン処理を完了すると、ログイン情報をログイン情報管理テーブル１７３に格納する。
【００３８】
次に、第２実施形態にかかるシステムの動作を説明する。図１２は、第２実施形態にかかるシステムの処理手順を示すシーケンス図である。
ユーザ端末において第１アプリが起動すると、第１アプリは、アプリケーションＩＤと端末ＩＤとを含むログイン情報を送信する。ログインが完了すると、第１アプリは、ユーザからのコンテンツの選択操作に応じて、コンテンツ配信要求をサーバの送信し、取得したコンテンツをユーザ端末の画面に表示する。
【００３９】
第１アプリ実行時の画面には、上記図７に示すように、第１アプリに関連する第２アプリのインストールを誘導するリンク７０１が表示される。ユーザによりリンク７０１が選択されると、誘導元アプリケーションＩＤ、誘導先アプリケーションＩＤ、および、端末ＩＤを含む誘導履歴をサーバへ送信する。サーバは、誘導履歴を誘導履歴管理テーブル１７１に格納し、アプリ提供プラットフォームにおける第２アプリのアプリダウンロードページを表示させるようにユーザ端末を制御する。
【００４０】
ユーザによりアプリダウンロードページから第２アプリのインストールが実行されると、ユーザ端末からアプリ提供サーバへダウンロード要求が送信される。第２アプリのインストールが完了すると、ユーザ端末の端末制御部５２は、アプリケーションＩＤと端末ＩＤとを含むインストール情報をサーバへ通知する。通知されたインストール情報はサーバメモリ１７のインストール情報管理テーブル１７２に格納される。
【００４１】
さらに、ユーザ端末において第２アプリが起動されると、第２アプリは、アプリケーションＩＤと端末ＩＤとを含むログイン情報をサーバへ送信する。なお、第２アプリを起動した際に、ユーザにＩＤやパスワード等を入力されるための画面をユーザ端末に表示し、ユーザが入力したＩＤやパスワード等と共に、アプリケーションＩＤと端末ＩＤとを含むログイン情報をサーバへ送信するようにしてもよい。ログイン情報は、ユーザ情報管理部１２により、ログイン情報管理テーブル１７３へ格納される。ログインの際にユーザにＩＤやパスワード等を入力させる場合は、サーバでログインの可否を判定し、ログインが成功した場合のみ、ログイン情報がログイン情報管理テーブル１７３へ格納されるようにしても良い。
【００４２】
サーバの誘導元特定部１５は、誘導履歴管理テーブル１７１と、インストール情報管理テーブル１７２とログイン情報管理テーブル１７３とを参照し、誘導履歴の端末ＩＤおよび誘導先アプリケーションＩＤと、インストール情報の端末ＩＤおよびアプリケーションＩＤと、ログイン情報の端末ＩＤおよびアプリケーションＩＤとを照合することにより、アプリケーションのインストールを誘導した誘導元アプリケーションＩＤを特定し、さらに、第２アプリへログインを確認する。誘導元アプリケーションＩＤが特定でき、かつ第２アプリへのログインが確認できた場合は、当該端末において視聴権限の無かった特典コンテンツをアンロックして視聴可能にする。ユーザが第１アプリを起動した際に、ユーザ端末には、上記図８に示すような特典付与を表すメッセージ８０１がポップアップ表示される。
【００４３】
誘導元の第１アプリの画面には、上記図９に示すように、アンロックされた特典コンテンツ９０１が表示される。ユーザは、第２アプリをインストールして起動することにより、将来公開予定のコンテンツを先読みすることが可能になる。
したがって、この第２実施形態によれば、上記第１実施形態と同様に、ユーザに面倒な操作をさせることなく、他のアプリケーションのダウンロードを促進することができる。また、インストールだけでなくログインされたことにより特典をアンロックすることで、ユーザにインストールされたアプリケーションを確実に実行させることが可能になる。
【００４４】
（変形例１）  
第２実施形態の変形例として、インストール情報のインストール時刻とログイン情報のログイン時刻とをもとに、第２アプリがインストールされてから所定期間でログインした場合にのみ、特典コンテンツをアンロックするようにしてもよい。このような態様によると、ユーザに第２アプリの実行を促すことができる。
【００４５】
（変形例２）  
また、第２実施形態の変形例として、ログイン管理テーブル１７３において第２アプリへのログイン回数を記憶し、第２アプリへのログイン回数に応じて、第１のアプリにおいて視聴を許可する特典コンテンツの数やサイズ（ページ数など）を決定するようにしてもよい。このような態様によると、ユーザにお試しで視聴環境を提供することができるので、その後の購買意欲を高められる。また、ユーザに第２アプリの実行を促すことができる。
【００４６】
（変形例３）  
さらに、第１および第２実施形態の変形例として、特典付与部１６は、視聴権限の無いコンテンツが存在しない場合は、特典付与を予約しておき、視聴権限の無いコンテンツが存在した時点でその視聴を許可する。つまり、先読み予約することを可能にする。このような態様によると、第１アプリにおいて視聴権限の無いコンテンツが存在するかしないかに関わらず、ユーザに特典を付与することが可能になるため、ユーザの利便性を高めることができる。
（変形例４）
第２アプリのインストールを誘導するためのリンクは、ユーザが最新のコンテンツを視聴し終わった直後に表示するようにしてもよい。さらに、ユーザが第１アプリを起動した際に第２アプリのインストールを誘導するためのリンクをポップアップ表示するようにしてもよい。これによって、第２アプリのインストールを誘導するためのリンクがユーザの目につきやすくなるため、アプリのダウンロードがさらに促進される。
【００４７】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、それらの各構成要素や各処理プロセスの組み合わせにいろいろな変形例が可能なこと、またそうした変形例も本発明の範囲にあることは当業者に理解されるところである。
【符号の説明】
【００４８】
１００…システム、１０…サーバ、４０…基地局、４０ａ…第１基地局、４０ｂ…第２基地局、４０ｃ…第３基地局、５０…モバイル端末、５０ａ…第１モバイル端末、５０ｂ…第２モバイル端末、５０ｃ…第３モバイル端末、６０…ネットワーク、７０…ＰＣ端末、１１…サーバ通信部、１２…ユーザ情報管理部、１３…コンテンツ提供部、１４…画面表示制御部、１５…誘導元特定部、１６…特典付与部、１７…サーバメモリ、１７１…誘導履歴管理テーブル、１７２…インストール情報管理テーブル、５１…端末通信部、５２…端末制御部、５３…ユーザインタフェース、５４…端末メモリ、５４１…第１アプリ、５４２…第２アプリ。
【図１】
2015203935.tif 000003
【図２】
2015203935.tif 000004
【図３】
2015203935.tif 000005
【図４】
2015203935.tif 000006
【図５】
2015203935.tif 000007
【図６】
2015203935.tif 000008
【図７】
2015203935.tif 000009
【図８】
2015203935.tif 000010
【図９】
2015203935.tif 000011
【図１０】
2015203935.tif 000012
【図１１】
2015203935.tif 000013
【図１２】
2015203935.tif 000014